(57)【要約】【課題】椅子の間隔を選択的に替えることができる椅子の連結装置を提供する。【解決手段】複数の椅子を左右方向に連結する椅子の連結装置１であって、一つの椅子１０のサイドフレーム１０ｆから外方に張出す受部２と、前記椅子１０に隣接する椅子１０のサイドフレーム１０ｇから外方に張出して受部２に上方から掛け止められる爪部３と、受部２に回動可能に取付けられる連結部材４とを有している。そして連結部材４は、受部２に回動可能に取付けられる取付部４ａと、回動先端側に形成された掛止部４ｂを有し、取付部４ａを中心に掛止部４ｂが受部２よりも外方に位置する使用位置において爪部３が受部２に代えて掛止部４ｂに掛け止められる構成になっている。【選択図】図２
2008178627.tif 000002
【特許請求の範囲】
【請求項１】
座部を支持する左右前後の脚と、前後の脚の間を連結する左右一対のサイドフレームとを備える複数の椅子を左右方向に連結する椅子の連結装置であって、
一つの椅子の前記サイドフレームから外方に張出す受部と、前記椅子に隣接する椅子の前記サイドフレームから外方に張出して前記受部に上方から掛け止められる爪部と、前記受部側の受部またはサイドフレームに回動可能に取付けられる連結部材とを有し、
前記連結部材は、前記受部側に回動可能に取付けられる取付部と、回動先端側に形成された掛止部を有し、前記取付部を中心に前記掛止部が前記受部よりも外方に位置する使用位置において前記爪部が前記受部に代えて前記掛止部に掛け止められる構成になっていることを特徴とする椅子の連結装置。
【請求項２】
請求項１に記載の椅子の連結装置であって、
連結部材を使用位置に位置決めし、かつ前記連結部材のサイドフレーム下側への回動を防止する回り止め機構を有していることを特徴とする椅子の連結装置。
【請求項３】
請求項１または２に記載の椅子の連結装置であって、
受部は、サイドフレームの上部から上方、外方そして下方に延出する一対の腕部と、前記一対の腕部端部間を連結する腕連結部とを有し、
連結部材は、前記腕連結部に取付けられる一対の取付部と、一対の取付部間を連結しかつ爪部が掛け止められる掛止部とを有し、前記連結部材が椅子中心側に回動されて収納位置になった際に前記掛止部が前記受部の腕部間に納まる構成になっていることを特徴とする椅子の連結装置。
【発明の詳細な説明】
【技術分野】
【０００１】
本発明は、複数の椅子を幅方向に隣接させて連結する椅子の連結装置に関する。
【背景技術】
【０００２】
体育館や講堂などで使用される椅子は、多くの場合、横に複数連結させた状態で使用されることが多い。従来、椅子を連結させる連結装置は、椅子の脚同士あるいは前後の脚を連結するサイドフレーム同士を連結する構成になっている（例えば特許文献１〜４）。しかし椅子の間隔は、連結装置によって一つに決定され、椅子の間隔を広くしたい場合や狭くしたい場合などに間隔を替えることができない構造であった。
【特許文献１】特開平７−１７１０３１号公報
【特許文献２】特開平９−２２０１３２号公報
【特許文献３】特開２００２−１７７０８６号公報
【特許文献４】実開平６−５８７４１号公報
【発明の開示】
【発明が解決しようとする課題】
【０００３】
そこで本発明は、椅子の間隔を選択的に替えることができる椅子の連結装置を提供することを課題とする。
【課題を解決するための手段】
【０００４】
前記課題を解決するために本発明は、各請求項に記載の通りの構成を備える椅子の連結装置であることを特徴とする。すなわち請求項１に記載の発明によると、一つの椅子のサイドフレームから外方に張出す受部と、前記椅子に隣接する椅子のサイドフレームから外方に張出して受部に上方から掛け止められる爪部と、受部側の受部またはサイドフレームに回動可能に取付けられる連結部材とを有している。そして連結部材は、受部側に回動可能に取付けられる取付部と、回動先端側に形成された掛止部を有し、取付部を中心に掛止部が受部よりも外方に位置する使用位置において爪部が受部に代えて掛止部に掛け止められる構成になっている。
【０００５】
したがって椅子の間隔を替えることができる。すなわち爪部を受部に掛け止めることで椅子の間隔を第一の間隔（狭い間隔）にすることができる。そして連結部材を使用位置にして、爪部を連結部材の掛止部に掛け止めることで椅子の間隔を第二の間隔（広い間隔）にすることができる。かくして椅子の間隔を選択的に替えることができる。
【０００６】
請求項２に記載の発明によると、連結部材を使用位置に位置決めし、かつ連結部材のサイドフレーム下側への回動を防止する回り止め機構を有している。したがって連結部材を使用位置にし、その状態で椅子を持ち上げた場合でも、連結部材は回り止め機構によって使用位置に保持される。そのため連結部材が重力等によってサイドフレームよりも下側に回動してしまうことを防止でき、サイドフレームよりも下側に回動した状態のまま椅子を床の上に置くことで連結部材が床とサイドフレームに挟まれて破損してしまうことを防止できる。
【０００７】
請求項３に記載の発明によると、受部は、サイドフレームの上部から上方、外方そして下方に延出する一対の腕部と、一対の腕部端部間を連結する腕連結部とを有している。そして連結部材は、腕連結部に取付けられる一対の取付部と、一対の取付部間を連結しかつ爪部が掛け止められる掛止部とを有し、連結部材が椅子中心側に回動されて収納位置になった際に掛止部が受部の腕部間に納まる構成になっている。したがって掛止部は、一対の取付部によって両端部が支持されている。そのため掛止部は、強度が強く、爪部を安定良く保持できる。また連結部材は、収納位置において受部の腕部間に納まる構成になっている。そのため収納位置において連結部材が邪魔にならず、見栄えも良好になる。
【発明を実施するための最良の形態】
【０００８】
（実施の形態１）
実施の形態１を図１〜７にしたがって説明する。椅子１０は、図１に示すように座部１０ａと背もたれ部１０ｈと、これらを支持するフレームを有している。フレームは、金属パイプ製であって、座部１０ａを支持する左右前後の脚１０ｂ〜１０ｅと、前後の脚１０ｂ〜１０ｅの下端部間を連結する一対のサイドフレーム（設置フレーム）１０ｆ，１０ｇを備えている。
【０００９】
図１に示すように椅子１０は、左右方向に複数並べられ、連結装置１によって連結される。この連結装置１は、一つの椅子１０のサイドフレーム１０ｆに設けられる受部２と、その椅子１０に隣接して設けられる椅子１０のサイドフレーム１０ｇに設けられる爪部３と、受部２に回動可能に取付けられる連結部材４を主体に構成されている。
【００１０】
受部２は、図２に示すように金属製の丸棒から形成されており、一対の腕部２ａと一対の腕部２ａを連結する腕連結部２ｂとを一体に有している。腕部２ａは、サイドフレーム１０ｆの上部から上方、外方そして下方に延出して椅子１０の外方に張出している。腕連結部２ｂは、一対の腕部２ａの先端部間に渡って延出している。
【００１１】
爪部３は、図２に示すように金属板から形成されており、腕片３ａと係止片３ｂを一体に有している。腕片３ａは、サイドフレーム１０ｇの上部から上方、外方に延出して椅子１０の外方に張出している。係止片３ｂは、腕片３ａの先端から下方に延出している。
【００１２】
連結部材４は、図２に示すように樹脂製であって、一対の取付部４ａと、一対の取付部４ａを連結する掛止部４ｂを一体に有している。一対の取付部４ａは、受部２の腕連結部２ｂの両端部に一端部が回動可能に取付けられる。一対の取付部４ａの回動先端間には、掛止部４ｂが連結されている。掛止部４ｂには、長手方向に延出しかつ上下に貫通する孔４ｂ１が形成されている。
【００１３】
連結部材４は、取付部４ａを中心に回動することで図３に示す収納位置と、図５に示す使用位置との間で回動する。図３に示すように連結部材４が収納位置にされた際に腕連結部２ｂの中央部を露出するための開口部４ｄが一対の取付部４ａの間に形成されている。そして露出された腕連結部２ｂの中央部に図４に示すように爪部３の係止片３ｂが上側から掛け止められる。これにより一対の椅子１０は、図７（Ａ）に示すように連結装置１によって第一の間隔（狭い間隔）Ａで連結される。収納位置における連結部材４の掛止部４ｂは、図３に示すように受部２の腕部２ａの間に納められる。
【００１４】
図５に示すように連結部材４を使用位置にすると、連結部材４の掛止部４ｂは、受部２よりも外側に位置する。そして掛止部４ｂの孔４ｂ１に図６に示すように爪部３の係止片３ｂが上側から掛け止められる。これにより一対の椅子１０は、図７（Ｂ）に示すように連結装置１によって第二の間隔（広い間隔）Ｂで連結される。
【００１５】
連結部材４と受部２の間には、図２，３に示すように連結部材４を収納位置に位置決めする位置決め機構が形成されている。この位置決め機構は、連結部材４の両端部に形成された位置決め部４ｃと、受部２の腕部２ａとによって構成されている。位置決め部４ｃは、連結部材４の両端部に形成されており、取付部４ａから片持ち梁状に延出する弾性片４ｃ１と、弾性片４ｃ１から腕部２ａに向けて突出する半球状の凸部４ｃ２を有している。
【００１６】
連結部材４を使用位置に回動させると、一対の弾性片４ｃ１が弾性変形し、受部２の一対の腕部２ａ間に掛止部４ｂが入り込む。そして凸部４ｃ２の頂点が腕部２ａの円周面の頂点を越えると、弾性片４ｃ１の弾性力によって凸部４ｃ２が腕部２ａから外れることが防止される。したがって連結部材４は、収納位置に位置決めされる。
【００１７】
連結部材４とサイドフレーム１０ｆの間には、図２，５に示すように連結部材４を使用位置に位置決めし、かつ連結部材４の回動を規制する回り止め機構が形成されている。この回り止め機構は、サイドフレーム１０ｆに設けられる一対の回り止め部材５を主体に構成されている。回り止め部材５は、金属板から形成されており、サイドフレーム１０ｆから外方に張出す張出し片５ａと、張出し片５ａ先端から下方に延出する当接片５ｂを一体に有している。当接片５ｂは、図７（Ｂ）に示すように連結部材４を使用位置にした際に取付部４ａに当接して、連結部材４を使用位置に位置決めする。そして連結部材４がサイドフレーム１０ｇの下側に回動することを防止する。
【００１８】
以上のようにして実施の形態１が形成されている。すなわち連結装置１は、図２に示すように一つの椅子１０のサイドフレーム１０ｆから外方に張出す受部２と、前記椅子１０に隣接する椅子１０のサイドフレーム１０ｇから外方に張出して受部２に上方から掛け止められる爪部３と、受部２に回動可能に取付けられる連結部材４とを有している。そして連結部材４は、受部２に回動可能に取付けられる取付部４ａと、回動先端側に形成された掛止部４ｂを有し、取付部４ａを中心に掛止部４ｂが受部２よりも外方に位置する使用位置において爪部３が受部２に代えて掛止部４ｂに掛け止められる構成になっている。
【００１９】
したがって椅子１０の間隔を替えることができる。すなわち爪部３を受部２に掛け止めることで図７（Ａ）に示すように椅子１０の間隔を第一の間隔（狭い間隔）Ａにすることができる。そして連結部材４を使用位置にして、爪部３を連結部材４の掛止部４ｂに掛け止めることで椅子１０の間隔を図７（Ｂ）に示すように第二の間隔（広い間隔）Ｂにすることができる。かくして椅子１０の間隔を選択的に替えることができる。
【００２０】
連結装置１は、図５に示すように連結部材４を使用位置に位置決めし、かつ連結部材４のサイドフレーム１０ｆ下側への回動を防止する回り止め機構（５）を有している。したがって連結部材４を使用位置にし、その状態で椅子１０を持ち上げた場合でも、連結部材４は回り止め機構によって使用位置に保持される。そのため連結部材４が重力等によってサイドフレーム１０ｆよりも下側に回動してしまうことを防止でき、サイドフレーム１０ｆよりも下側に回動した状態のまま椅子１０を床の上に置くことで連結部材４が床とサイドフレーム１０ｆに挟まれて破損してしまうことを防止できる。
【００２１】
また受部２は、図３に示すようにサイドフレーム１０ｆの上部から上方、外方そして下方に延出する一対の腕部２ａと、一対の腕部２ａ端部間を連結する腕連結部２ｂとを有している。そして連結部材４は、腕連結部２ｂに取付けられる一対の取付部４ａと、一対の取付部４ａ間を連結しかつ爪部３が掛け止められる掛止部４ｂとを有し、連結部材４が椅子１０中心側に回動されて収納位置になった際に掛止部４ｂが腕部２ａ間に納まる構成になっている。したがって掛止部４ｂは、一対の取付部４ａによって両端部が支持されている。そのため掛止部４ｂは、強度が強く、図６に示すように爪部３を安定良く保持できる。また連結部材４は、図３に示すように収納位置において受部２の腕部２ａ間に納まる構成になっている。そのため収納位置において連結部材４が邪魔にならず、見栄えも良好になる。
【００２２】
（実施の形態２）
実施の形態２を図８〜１１にしたがって説明する。実施の形態２は、実施の形態１とほぼ同様に形成されているが、爪部１３が金属板ではなく金属の丸棒から形成されている点と、回り止め機構が図５に示す回り止め部材５に代えて図８に示す受部１２の一部（当接部１２ｂ３）によって構成されている点などにおいて相違している。以下、相違点を中心に実施の形態２について説明する。
【００２３】
実施の形態２に係る連結装置１１は、図８に示すように受部１２と爪部１３と連結部材１４を有している。受部１２は、サイドフレーム１０ｆから延出する一対の腕部１２ａと、一対の腕部１２ａ間を連結する腕連結部１２ｂを有している。爪部１３は、金属の丸棒から形成されており、一対の腕部１３ａと腕連結部１３ｂを一体に有している。腕部１３ａは、サイドフレーム１０ｇの上部から上方、外方に延出して椅子１０の外方に張出している。腕連結部１３ｂは、一対の腕部１３ａの先端間を連結している。
【００２４】
連結部材１４は、図８に示すように樹脂製であって、受部１２の腕連結部１２ｂの両端側に回動可能に取付けられる一対の取付部１４ａと、一対の取付部１４ａを連結する掛止部１４ｂを一体に有している。掛止部１４ｂは、長手方向に延出する孔４ｂ１を有しており、図９に示すように孔４ｂ１に爪部１３の腕連結部１３ｂが上側から挿入される。
【００２５】
連結部材１４は、取付部１４ａを中心に図８に示す使用位置と、図１０に示す収納位置との間で回動する。連結部材１４を収納位置に回動した場合は、受部１２の腕連結部１２ｂの中央部が露出される。そして腕連結部１２ｂ中央部に図１１に示すように爪部１３の腕連結部１３ｂが上側から掛け止められる。これにより椅子１０は、連結装置１１によって第一の間隔（狭い間隔）に保持される。そして連結部材１４の掛止部１４ｂは、収納位置において受部１２の腕部２ａの間に納められる。
【００２６】
連結部材１４を使用位置に回動させた場合は、図８，９に示すように掛止部１４ｂが受部１２よりも外側に位置する。そして掛止部１４ｂの孔１４ｂ１に爪部１３の腕連結部１２ｂが上側から掛け止められる。これにより椅子１０は、連結装置１１によって第二の間隔（広い間隔）に保持される。
【００２７】
連結部材１４と受部１２の間には、連結部材１４を使用位置に位置決めし、かつ連結部材１４の回動を規制する回り止め機構が形成されている。この回り止め機構は、受部１２の腕連結部１２ｂの一部である当接部１２ｂ３によって構成されている。当接部１２ｂ３は、図８に示すように腕連結部１２ｂの両端部１２ｂ１と中央部１２ｂ２の間に形成されており、両端部１２ｂ１から下方あるいは斜め下方に延出している。そして先端部が中央部１２ｂ２と連結されている。当接部１２ｂ３は、連結部材１４を使用位置にした際に連結部材１４の取付部１４ａと当接して、連結部材１４を使用位置に位置決めする。そして連結部材１４のサイドフレーム１０ｇの下側への回動を防止する。
【００２８】
（他の実施の形態）
本発明は、実施の形態１，２に限定されず、以下の形態等であっても良い。
（１）実施の形態１，２の連結部材４，１４の掛止部４ｂ，１４ｂは、図６，９に示すように上下に連結部材４を貫通する孔４ｂ１，１４ｂ１を有していた。しかし孔４ｂ１，１４ｂ１に代えて、連結部材が使用位置になった際の掛止部４ｂ，１４ｂの上側面に溝を形成し、該溝に爪部が上側から掛止される形態であっても良い。
（２）実施の形態１，２の連結部材４，１４は、図５，８に示すように取付部４ａ，１４ａを一対有していた。しかし取付部を一つのみ有している形態であっても良い。
（３）実施の形態１，２の連結部材４，１４は、図５，８に示すように受部２，１２に回動可能に取付けられる取付部４ａ，１４ａを有していた。しかし連結部材が受部側のサイドフレームに回動可能に取付けられる取付部を有しており、該取付部を中心に使用位置と収納位置との間で回動する形態であっても良い。
（４）実施の形態１，２のサイドフレーム１０ｆ，１０ｇは、図１等に示すように左右前後の脚１０ｂ〜１０ｅの下端部間を連結して地面に設置される設置フレームであった。しかしこれらサイドフレーム１０ｆ，１０ｇに代えて、地面から浮いた位置にて左右前後の脚の中間部間を連結するサイドフレームであっても良い。
【図面の簡単な説明】
【００２９】
【図１】椅子と連結装置の斜視図である。
【図２】連結装置の分解斜視図である。
【図３】連結部材を収納位置にした際の連結装置の斜視図である。
【図４】連結部材を収納位置にした際の連結装置の斜視図である。
【図５】連結部材を使用位置にした際の連結装置の斜視図である。
【図６】連結部材を使用位置にした際の連結装置の斜視図である。
【図７】連結部材の正面図である。
【図８】連結部材を使用位置にした際の実施の形態２の連結装置の斜視図である。
【図９】連結部材を使用位置にした際の実施の形態２の連結装置の斜視図である。
【図１０】連結部材を収納位置にした際の実施の形態２の連結装置の斜視図である。
【図１１】連結部材を収納位置にした際の実施の形態２の連結装置の斜視図である。
【符号の説明】
【００３０】
１，１１・・・連結装置
２，１２・・・受部
２ａ，１２ａ・・・腕部
２ｂ，１２ｂ・・・腕連結部
３，１３・・・爪部
４，１４・・・連結部材
４ａ，１４ａ・・・取付部
４ｂ，１４ｂ・・・掛止部
４ｃ・・・位置決め部
５・・・回り止め部材（回り止め機構）
１０・・・椅子
１０ｆ，１０ｇ・・・サイドフレーム
【図１】
2008178627.tif 000003
【図２】
2008178627.tif 000004
【図３】
2008178627.tif 000005
【図４】
2008178627.tif 000006
【図５】
2008178627.tif 000007
【図６】
2008178627.tif 000008
【図７】
2008178627.tif 000009
【図８】
2008178627.tif 000010
【図９】
2008178627.tif 000011
【図１０】
2008178627.tif 000012
【図１１】
2008178627.tif 000013